(57)【要約】【課題】流体機械に流体が流通する流体装置において、その流体機械の流体流入側及び流出側と流体供給管及び流体排出管との径が異なる場合であっても、エネルギー損失を少なくしつつ、装置全体としてコンパクトを図る。【解決手段】水車（流体機械）（W）には水供給管（3）から水が供給されて、水車（W）が回転駆動される。水車（W）からの流体（水）は水排出管（4）を経て排出される。水車（W）と水供給管（3）との間、及び水車（W）と水排出管（4）との間には、各々、レジューサ（5）、（6）が配置される。水流入側のレジューサ（5）の全長（li）は短く、水流出側のレジューサ（6）の全長（lo）は長く（li<lo）に設定される。【選択図】図１
2017015225.tif 000002
【特許請求の範囲】
【請求項１】
流体機械（W）を備え、上記流体機械（W）の流体流入側及び流体流出側に流体流通用の主管（3,4）が接続される流体装置において、
上記流体機械（W）の両端部の流体流通断面積は上記流体流入側及び流体流出側の主管（3,4）の流通断面積よりも小さく設定され、
上記流体機械（W）の流体流入側には、上記流体流入側の主管（3）からの流体流れを絞る絞り部（5）が配置され、
上記流体機械（W）の流体流出側には、上記流体流出側の主管（4）に流れる流体流れを拡開させる拡開部（6）が配置されており、
上記拡開部（6）の流体流通方向の断面積変化率は、上記絞り部（5）の流体流通方向の断面積変化率よりも小さく設定されている
ことを特徴とする流体装置。
【請求項２】
上記請求項１記載の流体装置において、
上記絞り部（5）は、上記流体機械（W）の流体流入側と上記流体流入側の主管（3）とは別体の急絞り管（5）で構成され、
上記拡開部（6）は、上記流体機械（W）の流体流出側と上記流体流出側の主管（4）とは別体の緩拡開管（6）で構成される
ことを特徴とする流体装置。
【請求項３】
上記請求項１又は２記載の流体装置において、
上記流体機械（W）の上方に配置され、該流体機械（W）の回転軸（10a）に回転軸が連結された電気機械（G）を備える
ことを特徴とする流体装置。
【発明の詳細な説明】
【技術分野】
【０００１】
本発明は、水などの流体が流通する流体機械を備えた流体装置の改良に関する。
【背景技術】
【０００２】
従来、流体機械を備えた流体装置として、特許文献１記載の構成のものがある。このものは、螺旋回転翼（流体機械）を有し、この螺旋回転翼の上流側及び下流側に円筒状送水管を接続して、その螺旋回転翼に水流を供給する構成としている。また、上記特許文献１では、上流側の円筒状送水管と螺旋回転翼との間に円径調整管を配置すると共に、螺旋回転翼と下流側の円筒状送水管との間にも円径調整管を配置する構成としている。
【先行技術文献】
【特許文献】
【０００３】
【特許文献１】特開２０１５−３８３２０号公報
【発明の概要】
【発明が解決しようとする課題】
【０００４】
ところで、螺旋回転翼などの流体機械の端部の流体流通断面積と、これに流体を供給する送水管などの主管の径（流体流通断面積）とが異なる場合、特に、流体機械端部の流通断面積が主管の流通断面積よりも小さい場合には、上流側主管と流体機械の流体流入側との間に、水流などを絞る絞り用の接続管を配置すると共に、流体機械の流体流出側と下流側主管との間に、水流などを拡開する拡開用の接続管を配置する必要がある。
【０００５】
しかしながら、上記絞り用の接続管や拡開用の接続管の全長（流体流通方向の長さ）を長くすると、流体装置全体としてコンパクト化が図れない。従って、コンパクト化を図るべく、これらの絞り用の接続管や拡開用の接続管の全長を短くすることが考えられるが、この場合には、絞り用の接続管では流体が中心部に集まる流れであるため、エネルギー損失は少ないが、拡開用の接続管ではその接続管の内周側の周縁部で流体流れが渦流となるため、エネルギー損失が大きくなる欠点が生じる。
【０００６】
本発明は係る点に鑑み、その目的は、流体機械を備えた流体装置において、流体機械の端部の流体流通断面積が主管の流体流通断面積よりも小さい場合であっても、流体装置全体としてコンパクト化を図りつつ、流体機械下流の拡開部分でのエネルギー損失を有効に抑制することにある。
【課題を解決するための手段】
【０００７】
上記目的を達成するため、第１の発明の流体装置は、流体機械（W）を備え、上記流体機械（W）の流体流入側及び流体流出側に流体流通用の主管（3,4）が接続される流体装置において、上記流体機械（W）の両端部の流体流通断面積は上記流体流入側及び流体流出側の主管（3,4）の流通断面積よりも小さく設定され、上記流体機械（W）の流体流入側には、上記流体流入側の主管（3）からの流体流れを絞る絞り部（5）が配置され、上記流体機械（W）の流体流出側には、上記流体流出側の主管（4）に流れる流体流れを拡開させる拡開部（6）が配置されており、上記拡開部（6）の流体流通方向の断面積変化率は、上記絞り部（5）の流体流通方向の断面積変化率よりも小さく設定されていることを特徴とする。
【０００８】
上記第１の発明では、絞り部の断面積変化率は大きく、拡開部の断面積変化率は小さいので、絞り部では流体は急に絞られ、拡開部では緩やかに拡開する。従って、絞り部ではその全長を短くできる。一方、拡開部では、その全長は絞り部よりも長くなるものの、拡開部の内周側の周縁部での流体の渦流が防止されるので、エネルギー損失が少ない。よって、装置全体として全長が短く且つエネルギー損失が少ない流体装置が得られる。
【０００９】
第２の発明は、上記流体装置において、上記絞り部（5）は、上記流体機械（W）の流体流入側と上記流体流入側の主管（3）とは別体の急絞り管（5）で構成され、上記拡開部（6）は、上記流体機械（W）の流体流出側と上記流体流出側の主管（4）とは別体の緩拡開管（6）で構成されることを特徴とする。
【００１０】
上記第２の発明では、急絞り管及び緩拡開管が流体機械とは別体で構成されるので、流体機械に加工を施す必要がないし、流体流入側及び流体流出側の主管の径に合わせて急絞り管及び緩拡開管を形成することが可能である。
【００１１】
第３の発明は、上記流体装置において、上記流体機械（W）の上方に配置され、該流体機械（W）の回転軸（10a）に回転軸が連結された電気機械（G）を備えることを特徴とする。
【００１２】
上記第３の発明では、全長が短く且つエネルギー損失が少ない発電装置やポンプ装置が得られる。
【発明の効果】
【００１３】
上記第１の発明の流体装置によれば、絞り部の全長を短くすると共に拡開部での流体の渦流を抑制したので、全体として全長が短く且つエネルギー損失が少ない流体装置が得られる。
【００１４】
上記第２の発明によれば、流体機械に加工を施す必要がなく、また、主管の径に合わせて急絞り管及び緩拡開管を形成することができる。
【００１５】
上記第３の発明によれば、全長が短く且つエネルギー損失が少ない発電装置やポンプ装置を得ることができる。
【図面の簡単な説明】
【００１６】
【図１】図１は本発明の第１の実施形態に係る流体装置の概略正面図である。
【図２】図２は同流体装置の概略側面図である。
【図３】図３は同流体装置に備える水流入側のレジューサの断面図である。
【図４】図４は同流体装置に備える水流出側のレジューサの断面図である。
【図５】図５は同流体装置に備える水車の羽根車の斜視図である。
【図６】図６は同流体装置に備えるブロック体の斜視図である。
【図７】図７は同流体装置の水流入側からの冷却水取り出し構造を示す斜視図である。
【図８】図８は本発明の第２の実施形態に係る流体装置の概略正面図である。
【図９】図９は同流体装置に備えるレジューサの変形例を示す断面図である。
【図１０】図１０は同流体装置に備えるレジューサの他の変形例を示す断面図である。
【発明を実施するための形態】
【００１７】
（第１の実施形態）
本発明の流体装置の第１の実施形態として、水力発電装置の例を説明する。この水力発電装置は、比較的小規模な発電設備の例であり、例えば、浄水場などにおける水圧の減圧の溜めに設けられる減圧弁の代わりに設置され、エネルギーを電力として回収する。
【００１８】
図１は、本発明の第１の実施形態に係る流体装置（水力発電装置）の概略正面図を示し、図２は同流体装置の概略側面図を示す。
【００１９】
図１及び図２において、（W）は流体機械としての水車であって、水平方向に延びる水流の流入管（1）と、水流の流出管（2）とを備える。（3）は上記水車（W）に流入管（1）を介して流体としての水を供給する断面円形の水供給管、（4）は上記水車（W）からの水を流出管（2）を介して排出する断面円形の水排出管である。上記水供給管（3）及び水排出管（4）は、上記水車（W）に水を流通させる主管である。
【００２０】
＜流体（水）の流通経路の構造＞
上記水供給管（3）と水車（W）の流入管（1）との間には、両端間で径の異なるレジューサ（5）が配置される。また、水排出管（4）と水車（W）の流出管（2）との間には、同様に両端間で径の異なる他のレジューサ（6）が配置される。これらのレジューサ（5）、（6）は、図３及び図４に示すように、流体（水）が流通する中空部（5a）、（6a）を有すると共に、断面円形に形成される。
【００２１】
上記２つのレジューサ（5）、（6）は、水車（W）の流入管（1）及び流出管（2）の径と水供給管（3）及び水排出管（4）の径とが異なるため、これら異径の配管同士を接続するものである。具体的に、水車（W）の流入管（1）の端部開口部での流体流通断面積（Wci）は、水供給管（3）の流体流通断面積（Mci）よりも小さい（Wci<Mci）。従って、水流入側のレジューサ（5）は、その一端部の流体流通断面積が水供給管（3）の流通断面積（Mci）と同断面積で、他端部の流体流通断面積が水車（W）の流入管（1）の流通断面積（Wci）と同断面積のものが選択される。このレジューサ（5）の両端部には、図１に示したように、フランジ（5a）、（5b）が溶接され、この一端のフランジ（5a）が水供給管（3）のフランジ（3a）にボルト及びナット（8）で締結されている。この構成により、水流入側のレジューサ（5）は、水供給管（3）から水車（W）の流入管（1）への水流を絞る作用をし、本発明の絞り部を構成する。
【００２２】
一方、水流出側のレジューサ（6）は、その一端部の流体流通断面積が水車（W）の流出管（2）の流通断面積（Wco）と同断面積で、他端部の流体流通断面積が水排出管（4）の流通断面積（Mco）と同断面積のものが選択される。このレジューサ（6）の両端部にも、図１に示したように、フランジ（6a）、（6b）が溶接され、この一端のフランジ（6a）が水排出管（4）のフランジ（4a）にボルト及びナット（8）で締結されている。この構成により、水流出側のレジューサ（6）は、水車（W）の流出管（2）から水排出管（4）への水流を拡開する作用をし、本発明の拡開部を構成する。
【００２３】
尚、本実施形態では、水車（W）の流入管（1）の上記流体流通断面積（Wci）と、流出管（2）の流通断面積（Wco）とは、同断面積（Wci=Wco≡Wc）に設定される。また、水供給管（3）の流通断面積（Mci）と水排出管（4）の流通断面積（Mco）とは同断面積（Mci=Mco≡Mc）に設定される。
【００２４】
そして、上記水流入側のレジューサ（5）は全長（li）の短い配管で構成され、水流出側のレジューサ（6）は上記水流入側のレジューサ（5）の全長（li）よりも長い全長（lo）（lo>li）を有する長い配管で構成される。従って、水流入側のレジューサ（5）は、流体（水）流通方向の流通断面積が急に変化する断面積変化率が大きい構造であって、水流を大きく急に絞る一方、水流出側のレジューサ（6）は、流通断面積が緩やかに変化する断面積変化率が小さい構造であって、その断面積変化率は上記水流入側のレジューサ（5）の断面積変化率よりも小さく設定されていて、水流を緩やかに拡開する。本実施形態では、上記水流入側のレジューサ（5）は、水車（W）の流入管（1）及び水供給管（3）とは別体の急絞り管を構成する。また、上記水流出側のレジューサ（6）は水車（W）の流出管（2）及び水排出管（4）とは別体の緩拡開管を構成する。
【００２５】
本実施形態の流体装置は、上記水供給管（3）、水車（W）の流入管（1）、水車（W）の流出管（2）及び水排出管（4）並びにレジューサ（5）、（6）とで形成する水流の流入経路と流出経路とが一直線上に配置されたインライン型である。
【００２６】
尚、上記水流入側のレジューサ（5）と水車（W）の流入管（1）との間にはブロック体（70）が配置され、水流出側のレジューサ（6）と水車（W）の流出管（2）との間にもブロック体（71）が配置される。この両ブロック体（70）,（71）は、流通する水の一部を後述する発電機（G）や電力変換制御装置（20）に供給するものであるが、その詳細な構成については後述する。
【００２７】
＜水車（W）の構造＞
上記水車（W）では、上記流入管（1）と流出管（2）とで形成する水流経路の途中に図５に示す羽根車（10）を内蔵するケーシング（14）が配置される。上記羽根車（10）には、上下方向に配置された回転軸（10a）の下端が接続され、その回転軸（10a）が接続される中心部（10b）には複数枚のブレード（10c）が渦巻き状に配置されている。そして、流入管（1）からの水流により複数枚のブレード（10c）が圧力を受けて回転して、回転軸（10a）を回転させる構成である。この羽根車（10）は、例えば渦巻きポンプに備えるインペラが流用される。上記羽根車（10）の回転軸（10a）は、羽根車（10）の上方に配置した中空の台座（13）内を上方に延びている。
【００２８】
また、上記水車（W）の上方には、回転電気機械としての発電機（G）が配置される。この発電機（G）は、上記羽根車（10）の回転軸（10a）の上端に連結される回転軸（図示せず）を有している。そして上記発電機（G）の下方に配置したフロントカバー（12）と水車（W）の台座（13）とがボルト等の締結具により締結されて、水車（W）と発電機（G）とが取り外し可能に上下に連結固定されている。従って、本流体装置は、水車（W）と発電機（Gとが上下方向に配置された立型となっている。
【００２９】
上記発電機（G）は、上記水車（W）の回転軸（10a）に連結されて回転駆動されて、三相交流電力を発生する。
【００３０】
そして、上記発電機（G）の図２左側方（水車（W）に流通する水流の方向とは直行する水平方向）には、電力変換制御装置（コントローラ）（20）が配置される。この電力変換制御装置（20）は、上記発電機（G）で発電された電力又は電源（図示せず）からの電力を変換又は制御したり、その変換又は制御された電力を更に変換又は制御する。この電力変換制御装置（20）は、本実施形態では、一例として、上記発電機（G）で発電された三相交流電力を直流に変換するＡＣ／ＤＣコンバータや、そのＡＣ／ＤＣコンバータにより変換された直流電力を例えば商用周波数の交流電力に変換するＤＣ／ＡＣコンバータを例示する。これ等のＡＣ／ＤＣコンバータ及びＤＣ／ＡＣコンバータは、図１及び図２から判るように、上記発電機（G）とほぼ同一高さ及び同一幅に形成されている。尚、上記電力変換制御装置（20）は、複数（例えば２個）であっても良く、その一方を図２左側方に配置し、他方を図２右側方に配置しても良い。
【００３１】
上記電力変換制御装置（20）のＡＣ／ＤＣコンバータやＡＣ／ＤＣコンバータは、電力変換用に複数個のＩＧＢＴ（Insulated Gate Bipolar Transistor）などの半導体素子を有する。これ等の半導体素子はそのｏｎ／ｏｆｆ動作に伴い発熱するため、本流体装置は、水車（W）への水の一部を他の箇所として発電機（G）と共に電力変換制御装置（20）に流通させて冷却する冷却系統（50）を有する。
【００３２】
＜冷却系統の構成＞
上記冷却系統（50）は、発電機（G）冷却用の２本の冷却配管（51）、（52）と、電力変換制御装置（20）冷却用の２本の冷却配管（61）、（62）と、２つのブロック体（70）、（71）とを有する。上記発電機（G）冷却用の一方の冷却配管（51）は、上記流入管（1）に流れる水の一部を発電機（G）に供給する冷却配管であり、発電機（G）冷却用の他方の冷却配管（52）は、発電機（G）を冷却した水を流出管（2）に戻す冷却配管である。また、電力変換制御装置（20）冷却用の一方の冷却配管（61）は、流入管（1）に流れる水の一部を電力変換制御装置（20）に供給する冷却配管であり、電力変換制御装置（20）冷却用の他方の冷却配管（62）は、電力変換制御装置（20）を冷却した水を流出管（2）に戻す冷却配管である。上記４本の冷却用の冷却配管（51）、（52）、（61）、（62）は、発電機（G）や電力変換制御装置（20）に水を流通させる本発明の流体流通管である。
【００３３】
そして、上記２つのブロック体（70）、（71）は、図６に示すように、中心に中空部（70a）、（71a）を有する円盤状に形成されており、その両端にフランジを有しないウエハ型の構造である。このブロック体（70）、（71）の中空部（70a）、（71a）の流体流通開口断面積は、上記水車（W）の流入管（1）及び流出管（2）の端部開口部での流体流通断面積（Wc）に等しい。
【００３４】
上記水流入側のブロック体（70）は、図７にも示すように、水流入側のレジューサ（5）と流入管（1）との間に配置され、他方（水流出側）のブロック体（71）は、流出管（2）と水流出側のレジューサ（6）との間に配置される。上記水流入側のブロック体（70）には、図６に示したように、その外周面に、中空部（70a）に繋がる２つの孔部（70b）、（70c）が形成される。一方の孔部（70b）は上記発電機（G）冷却用の冷却配管（51）接続用であり、他方の孔部（70c）は上記電力変換制御装置（20）冷却用の冷却配管（61）接続用である。同様に、水流出側のブロック体（71）にも、その外周面に、中空部（71a）に繋がる２つの孔部（71b）、（71c）が形成される。その一方の孔部（71b）は上記発電機（G）冷却用の冷却配管（52）接続用であり、他方の孔部（71c）は上記電力変換制御装置（20）冷却用の冷却配管（62）接続用である。
【００３５】
そして、図１に示したように、水流入側のブロック体（70）は、水流入側のレジューサ（5）の端部フランジ（5b）と流入管（1）の端部フランジ（1a）との間に配置された状態で、そのレジューサ（5）の端部フランジ（5b）と流入管（1）の端部フランジ（1a）とが複数本のボルト及びナット（締結具）（80）で接続されている。更に、水流入側のブロック体（70）の一方の孔部（70b）に発電機（G）冷却用の冷却配管（51）の一端が接続され、他方の孔部（70c）に電力変換制御装置（20）冷却用の冷却配管（61）の一端が接続される。また、上記発電機（G）冷却用の冷却配管（51）の他端は、発電機（G）の外周面に設けた水冷装置（65）に接続され、上記電力変換制御装置（20）冷却用の冷却配管（61）の他端は、電力変換制御装置（20）の内部冷却用の水流入側の接続口（20a）に接続される。
【００３６】
水冷装置（65）は、発電機（G）内部冷却用の冷却管（Ga）を有している。この冷却管（Ga）は、発電機（G）の外周に蛇行するように配置され、その一端は、冷却配管（51）の他端と接続されている。従って、発電機（G）の熱は、冷却管（Ga）を介して、冷却管（Ga）内の流体（水）に伝わることになる。
【００３７】
同様に、水流出側のブロック体（71）は、流出管（2）の端部フランジ（2a）と水流出側のレジューサ（6）の端部フランジ（6b）との間に配置された状態で、その流出管（2）の端部フランジ（2a）とレジューサ（6）の端部フランジ（6b）とが複数本のボルト及びナット（締結具）（81）で締結されている。更に、水流出側のブロック体（71）の一方の孔部（71b）に発電機（G）冷却用の冷却配管（52）の一端が接続され、他方の孔部（71c）に電力変換制御装置（20）冷却用の冷却配管（62）の一端が接続される。また、上記発電機（G）冷却用の冷却配管（52）の他端は、水冷装置（65）の冷却管（Ga）の水流出側に接続され、上記電力変換制御装置（20）冷却用の冷却配管（62）の他端は、電力変換制御装置（20）の内部冷却用の水流出側の接続口（20b）に接続される。
【００３８】
従って、水供給管（3）からの水流による水車（W）の回転時には、その水の一部はブロック体（70）から冷却配管（51）、（61）を介して発電機（G）及び電力変換制御装置（20）に流通し、これ等機器を冷却した後、冷却配管（52）、（62）を介してブロック体（71）からレジューサ（6）及び水排出管（4）に戻ることになる。
【００３９】
＜本実施形態の効果＞
本実施形態では、水供給管（3）からの水の供給時には、その水の供給により水車（W）が回転駆動され、その回転駆動により発電機（G）が回転駆動されて、その発電電力が電力変換制御装置（20）の例えばＡＣ／ＤＣコンバータにより直流に変換される。
【００４０】
ここに、本実施形態の水力発電装置では、水車（W）への水流入側にはレジューサ（5）が配置され、水車（W）からの水流出側にはレジューサ（6）が配置されるものの、その２つのレジューサ（5）、（6）の合計長さは長さ（li+lo）（li<lo）であって、その２つのレジューサ（5）、（6）が共に長さ（lo）の全長の長いものが選択されている場合に比して、その全長を短くできるので、水力発電装置全体のコンパクト化が可能である。
【００４１】
しかも、水流入側のレジューサ（5）では、その全長（li）は水流出側のレジューサ（6）の全長（lo）に比して短い（li<lo）ものの、流通する水を絞る作用を奏するので、そのレジューサ（5）の内周面の外周側で渦流は生じ難く、エネルギー損失を有効に軽減できる。
【００４２】
一方、水流出側のレジューサ（6）では、流通する水は拡開して、そのレジューサ（6）の内周面の外周側で渦流が生じ易いものの、その全長（lo）が水流入側のレジューサ（5）よりも長い（lo>li）ので、水流の拡開の程度が徐々に行われる。従って、渦流は生じ難く、エネルギー損失はないか極く少なく抑制される。よって、全体として全長が短く且つエネルギー損失が少ない水力発電装置が得られる。
【００４３】
また、本実施形態では、水流入側のレジューサ（急絞り管）（5）と水流出側のレジューサ（緩拡開管）（6）とが、水車（W）とは別体で構成されているので、水車（W）に加工を施すことなく、そのまま利用できると共に、２つのレジューサ（5）、（6）は水供給管（3）や水排出管（4）の径に合わせた端部径を有するものに適宜選択できる。
【００４４】
（第２の実施形態）
次に、本発明の第２の実施形態を説明する。
【００４５】
上記第１の実施形態の水力発電装置では、水車（W）と別体にレジューサ（絞り部）（5）、及びレジューサ（拡開部）（6）を設けたが、本実施形態では、絞り部及び拡開部を水車（W）と一体形成したものである。
【００４６】
具体的に、本実施形態では、図８に示すように、水車（W）の流入管（1）に上記レジューサ（5）と同一長（li）を有する絞り部（55）を一体形成すると共に、水車（W）の流出管（2）に上記レジューサ（6）と同一長（lo）を有する拡開部（66）を一体形成している。
【００４７】
そして、水流入側のブロック体（70）を上記水車（W）の絞り部（55）と水供給管（3）との間に配置して、絞り部（55）端部に溶接したフランジ（55a）と水供給管（3）のフランジ（3a）とをボルト及びナット（8）で締結している。同様に、水流出側のブロック体（71）を水車（W）の拡開部（66）と水排出管（4）との間に配置して、拡開部（66）端部に溶接したフランジ（66a）と水排出管（4）のフランジ（4a）とをボルト及びナット（8）で締結している。
【００４８】
従って、本実施形態では、フランジ接続箇所が水流入側と水流出側とで各々１箇所で合計２箇所となるので、上記第１の実施形態の合計４箇所と比べて、全長がより短いコンパクトな水力発電装置が得られる。
【００４９】
（その他の実施形態）
本発明は、上記第１及び第２の実施形態について、以下のような構成としてもよい。
【００５０】
上記実施形態では、流体装置として水車（W）により発電機（G）を回転駆動する発電装置を例示したが、電動機によりポンプを駆動するポンプ装置を対象として、そのポンプに流体を供給する流体装置に本発明を適用しても良い。また、本発明は、上記発電装置やポンプ装置に限らず、流体機械への流体供給構造に対して適用できる。
【００５１】
更に、上記第１の実施形態では、２つのレジューサ（5）、（6）を図３及び図４に示したように、同心状の構造としたが、図９に示すように、両端部の中心がずれた偏心状の構造を採用しても良いし、図１０に示したように両端部に平行部分を有する構造を採用しても良いのは勿論である。
【産業上の利用可能性】
【００５２】
以上説明したように、本発明は、流体機械への流体の供給構造としてエネルギー損失少なく且つコンパクト化が可能であるので、流体機械を備えた流体装置に適用して、有用である。
【符号の説明】
【００５３】
Ｗ              水車（流体機械）
Ｇ              発電機（回転電気機械）
１              流入管
２              流出管
３              水供給管（主管）
４              水排出管（主管）
５              レジューサ（絞り部、急絞り管）
６              レジューサ（拡開部、緩拡開管）
５ａ、５ｂ、６ａ、６ｂ      フランジ
２０            電力変換制御装置
５１、５２      発電機冷却用の冷却配管
５５            絞り部
６６            拡開部
６１、６２      電力変換制御装置冷却用の冷却配管
７０、７１      ブロック体
【図１】
2017015225.tif 000003
【図２】
2017015225.tif 000004
【図３】
2017015225.tif 000005
【図４】
2017015225.tif 000006
【図５】
2017015225.tif 000007
【図６】
2017015225.tif 000008
【図７】
2017015225.tif 000009
【図８】
2017015225.tif 000010
【図９】
2017015225.tif 000011
【図１０】
2017015225.tif 000012